(57)【要約】【課題】電子回路モジュール製造工程の歩留まり向上する事ができる基板を提供する。【解決手段】基板部２と、基板部２の表面に形成された凹部５と、を有する基板１において、基板部２の表面上に、基板部２の表面から凹部５に向かって形成された突起部１０を設けたこと、を特徴とする基板１としたので、電子回路モジュールの製造工程のおける凹部５への樹脂の充填工程後に、樹脂部の樹脂が凹５部内部から外部へ漏れ出すことを防止することができ、電子部品と基板との電気的接続不良を防止することができるので、その基板１を用いた電子回路モジュールの製造工程の歩留まり向上する事ができる。【選択図】図１
2012234897.tif 000002
【特許請求の範囲】
【請求項１】
基板部と、
前記基板部の表面に形成された凹部と、
を有するセラミック多層基板において、
前記基板部の表面上に、前記基板部の表面から前記凹部に向かって形成された突起部を設けたこと、
を特徴とする基板。
【請求項２】
前記突起部は、電界めっき法にて形成された銅であること、
を特徴とする請求項１に記載の基板。
【請求項３】
前記基板部は、複数のセラミック製のグリーンシートを焼成して形成されること、
を特徴とする請求項２に記載の基板。
【請求項４】
基板部と、
前記基板部の表面に形成された凹部と、
前記凹部の内部に配置された電子部品と、
前記凹部の前記電子部品を覆うように充填された樹脂部と、
を有する電子回路モジュールにおいて、
前記基板部の表面上に、前記基板部の表面から前記凹部に向かって形成された突起部を設けたこと、
を特徴とする電子回路モジュール。
【請求項５】
前記突起部は、電界めっき法にて形成された銅であること、
を特徴とする請求項４に記載の電子回路モジュール。
【請求項６】
前記基板部は、複数のセラミック製のグリーンシートを焼成して形成されること、
を特徴とする請求項５に記載の電子回路モジュール。
【発明の詳細な説明】
【技術分野】
【０００１】
本発明は、基板、およびその基板を用いた電子回路モジュールに関するものである。
【背景技術】
【０００２】
従来の電気回路モジュールとして、凹部が形成された基板を用い、その基板の凹部に、ＩＣチップ等の電子部品を配置し、その凹部全体に樹脂が充填された電子回路モジュールが記述されている（例えば、これに類似する技術は下記特許文献１や特許文献２に記載されている）。
【先行技術文献】
【特許文献】
【０００３】
【特許文献１】特開２００２−０８０６５２号公報
【特許文献２】特開２００９−２７２６１２号公報
【発明の概要】
【発明が解決しようとする課題】
【０００４】
従来の基板を用いた電子回路モジュールでは、その製造工程において、樹脂を凹部に充填後、数時間経過後にその樹脂が表面張力によって、凹部内部から凹部外部に移動してしまい、その結果として、前述の凹部に配置された電子部品（ＩＣチップ等）を樹脂によって被覆されるべき部分が被覆されず、それらの保護ができなくなってしまうという問題を有していた。この樹脂によるＩＣチップの保護不足は、特に、ＩＣチップと基板との電気的接続不良（電子回路モジュールの組み立て不良）を引き起こすのである。
すなわち、従来の基板を用いた電子回路モジュールでは、凹部に配置された電子部品（ＩＣチップ等）を樹脂による保護ができなくことに起因して、その電子回路モジュールの製造工程における歩留まりが低下するという課題を有していた。
【０００５】
そこで、本発明は、この課題を解決し、電子回路モジュールの製造工程の歩留まり向上する事を目的とする。
【課題を解決するための手段】
【０００６】
そして、この目的を達成するために本発明は、基板部と、前記基板部の表面に形成された凹部と、を有する基板において、前記基板部の表面上に、前記基板部の表面から前記凹部に向かって形成された突起部を設けたこと、を特徴とする基板とした。
【０００７】
また、本発明は、基板部と、前記基板部の表面に形成された凹部と、前記凹部の内部に配置された電子部品と、前記凹部の前記電子部品を覆うように充填された樹脂部と、を有する電子回路モジュールにおいて、前記基板部の表面上に、前記基板部の表面から前記凹部に向かって形成された突起部を設けたこと、を特徴とする電子回路モジュールとした。
【０００８】
これにより所期の目的を達成するものである。
【発明の効果】
【０００９】
以上のように本発明は、基板部と、前記基板部の表面に形成された凹部と、を有するセラミック多層基板において、前記基板部の表面上に、前記基板部の表面から前記凹部に向かって形成された突起部を設けたこと、を特徴とする基板としたので、その基板を用いた電子回路モジュールの製造工程の歩留まり向上する事ができる。
【００１０】
すなわち、本発明においては、前記基板部の表面上に、前記基板部の表面から前記凹部に向かって形成された前記突起部を設けたことによって、電子回路モジュールの製造工程のおける前記凹部への樹脂の充填工程後に、前記樹脂部の樹脂が凹部内部から外部へ漏れ出す（流れ出す）ことを防止することができ、電子部品と基板との電気的接続不良を防止することができるので、その結果として、セラミック多層基板の製造工程の歩留まりを向上することができるのである。
【図面の簡単な説明】
【００１１】
【図１】本発明の実施の形態１における基板の断面図を示すものであり、図１（ａ）は断面図、図１（ｂ）は、図１（ａ）中の領域Ａの拡大断面図
【図２】電子回路モジュールの断面図を示すものであり、図２（ａ）は従来の基板を用いた場合の電子回路モジュールの断面図、図２（ｂ）は本発明の実施の形態１における基板を用いた場合の電子回路モジュールの断面図
【発明を実施するための形態】
【００１２】
以下に、本発明の一実施形態を図面とともに詳細に説明するが、これら実施形態は、本発明を限定するものではない。
（実施の形態１）
まず、はじめに、本発明の実施の形態１における基板の構成に関して説明する。
【００１３】
図１は本発明の実施の形態１における基板の断面図を示すものであり、図１（ａ）は断面図、図１（ｂ）は、図１（ａ）中の領域Ａの拡大断面図を示すものである。
【００１４】
図１に示すように、基板１は、複数（具体的には本実施形態では後述のように合計６枚）のセラミック製のグリーンシート（後述のグリーンシート１１ａ、グリーンシート１１ｂに相当）を焼成して形成された基板部２と、その基板部２内部に形成された内部配線部３、同じくビア４と、基板部２の表面に設けられた凹部５と、その凹部５の内部に配置され、内部配線部３やビア４と電気的に接続され、電子部品１３（後述の図２に図示）を接続するための外部端子７を有している。
【００１５】
更に、図１（ａ）、図１（ｂ）に示すように、基板部２の表面には、第１の金属部８と、第１の金属部の表面に第２の金属部９が形成されている。ここで、第２の金属部９は、基板部２の表面から凹部５に向かって形成された突起部１０を有している。なお、これら第１の金属部８や第２の金属部９は、基板１に所望の電子部品（例えばＩＣチップ）を実装するための、外部電極部や、電子回路パターン配線になるものである。
【００１６】
ここで、本実施形態において、基板部２、及びその表面に形成された凹部５は、後述で再度説明するが、何れも、アルミナ粉末を５５［ｗｔ％］、ガラス粉末を４５［ｗｔ％］の割合で配合したガラス・セラミックの組成物で、シート状の形状のグリーンシートと呼ばれるものを、複数枚（少なくとも２枚以上）積層し、加圧し、その後、９００［℃］にて焼成することによって形成する。なお、本実施形態の基板部２においては、図１に示すように、単純なシート状のグリーンシート１１ａを３枚、その上に、予め、凹部５を形成するための穴を形成したグリーンシート１１ｂを積層し、その後、焼成することによって形成した。
【００１７】
また、本実施形態において、基板部２の内部にあるビア４は、前述の焼成前のグリーンシートに、予め、例えば、ＮＣパンチプレス（Ｎｕｍｅｒｉｃａｌ  Ｃｏｎｔｒｏｌパンチプレス）によって孔を形成し、その後、その孔に導体ペーストを充填し、更に前述のセラミックシートを焼成する際に同時に焼成される事によって形成する。なお、本実施形態において、銀（Ａｇ）粒子とガラス成分を含有する導体ペーストを用いた。
また、本実施形態において、基板部２の内部にある内部配線部３は、前述の焼成前のグリーンシートに、予め、スクリーン印刷法を用いて所望のパターンに印刷して形成後、前述のセラミックシートを焼成する際に同時に焼成される事によって形成している。なお、  本実施形態においては、銀（Ａｇ）粒子とガラス成分を含有する導体ペーストを用いた。
【００１８】
また、本実施形態において、基板部２の外部端子７は、前述の焼成前のグリーンシートに、予め、スクリーン印刷法を用いて所望のパターンに印刷して形成後、前述のセラミックシートを焼成する際に同時に焼成される事によって形成している。なお、本実施形態においては、銀（Ａｇ）粒子とガラス成分を含有する導体ペーストを用いた。
【００１９】
また、本実施形態においては、第１の金属層８は、前述の外部端子７と同じように、前述の焼成前のグリーンシートに、予め、スクリーン印刷法を用いて所望のパターンに印刷して形成後、前述のセラミックシートを焼成する際に同時に焼成される事によって形成している。なお、本実施形態においては、銀（Ａｇ）粒子とガラス成分を含有する導体ペーストを用いた。
【００２０】
また、本実施形態においては、第２の金属層９は、湿式めっき法の一種である電界めっき法によって銅（Ｃｕ）を形成し、その膜厚は、５０［ｕｍ］としたが、この第２の金属層９は、５［ｕｍ］から１００［ｕｍ］の間の膜厚で、適宜決定を行うことができるが、  本実施形態において、第２の金属層９の膜厚は２５［ｕｍ］形成した。
【００２１】
すなわち、本実施形態における突起部１０は、図１（ｂ）に示すように、基板部２の表面から凹部５に向かって２５［ｕｍ］の厚さ（高さ、図１（ｂ）中のＢに相当）で形成している。
【００２２】
また、本実施形態においては、第２の金属層９は、電界めっき法によって形成された銅（Ｃｕ）を用いたが、その他に、無電界めっき法によって形成された金（Ａｕ）や銀（Ａｇ）を用いることもできる。
【００２３】
以上が、本実施形態における基板１の構成である。
【００２４】
次に、本実施形態における電子回路モジュールの構成に関して説明する。
【００２５】
図２は、電子回路モジュールの断面図を示すものであり、図２（ａ）は従来の基板を用いた場合の電子回路モジュールの断面図を示すものであり、図２（ｂ）は本発明の実施の形態１における基板を用いた場合の電子回路モジュールの断面図を示すものである。
【００２６】
図２（ａ）、図２（ｂ）ともに、凹部５内部に電子部品１３が、外部端子７と電気的に接続（実装）されている。更に、その電子部品１３と外部端子７の電気的な接続後（実装後）に、凹部５内部には電子部品１３を覆うように樹脂部１４が塗布されている。なお、本実施形態において、電子部品１３として、一般的な情報処理用のＩＣ（Ｉｎｔｅｇｒａｔｅｄ  Ｃｉｒｃｕｉｔ）、樹脂部１４用の樹脂として、アンダーフィル（液状硬化性樹脂）を用いている。
【００２７】
ここで、図２（ａ）に示すように、従来の基板を用いた場合、樹脂部１４の樹脂が、凹部５へ塗布した後に、表面張力等によって外部に漏れ出す（流れ出す）ことがある。特に、本実施形態のように、基板部２が、アルミナ粉末とガラス粉末を配合したガラス・セラミックの組成物を焼成して形成されるような材料であった場合、この現象が顕著に現れるのである。
【００２８】
一方、図２（ｂ）に示すように、本実施形態の電子回路モジュール１２は、突起部１０を形成しているため、凹部５へ樹脂を塗布した後に、樹脂部１４の樹脂が凹部５から外部へ漏れ出す（流れ出す）のを防止することができる。
以上のように、本実施形態においては、基板部２と、基板部２の表面に形成された凹部５と、を有する基板１において、基板部２の表面上に、基板部２の表面から凹部５に向かって形成された突起部１０を設けたこと、を特徴とする基板１としたので、その基板１を用いた電子回路モジュール１２の製造工程の歩留まり向上する事ができる。
【００２９】
すなわち、本実施形態においては、基板部２の表面上に、基板部２の表面から凹部５に向かって形成された突起部１０を設けたことによって、電子回路モジュール１２の製造工程のおける凹部５への樹脂の充填工程後に、樹脂部１４の樹脂が凹部５内部から外部へ漏れ出す（流れ出す）こと防止することができ、電子部品１３と基板１との電気的接続不良を防止することができるので、その結果として、電子回路モジュール１２の製造工程の歩留まりを向上することができるのである。
【００３０】
さらに、基板部２の表面上に、基板部２の表面から凹部５に向かって形成された突起部１０を設けたことによって、電子回路モジュール１２の製造工程のおける凹部５への樹脂の充填工程後に、樹脂部１４の樹脂が凹部５内部から外部へ漏れ出す（流れ出す）こと防止することによって、電子部品１３と基板１との長期的な電気的接続不良を防止することができるので、その結果として、電子回路モジュール１２の信頼性をより向上することができるのである。
【００３１】
以上が、本発明の実施の形態１の基板１、および電子回路モジュール１２の説明である。
【産業上の利用可能性】
【００３２】
本発明にかかる基板は、電子回路モジュールの製造工程の歩留まり向上する事ができるので、特に、最近普及の進んでいる液晶テレビや携帯電話の基板として用いられることが大いに期待されるものとなる。
【符号の説明】
【００３３】
１  基板
２  基板部
３  内部配線部
４  ビア
５  凹部
７  外部端子
８  第１の金属部
９  第２の金属部
１０  突起部
１１ａ、１１ｂ  グリーンシート
１２  電子回路モジュール
１３  電子部品
１４  樹脂部
【図１】
2012234897.tif 000003
【図２】
2012234897.tif 000004